(57)【要約】【課題】収容された書類を簡単に取出すことができる書類ホルダーを提供する。【解決手段】同一形状の表装フィルム１と裏装フィルム２との左側縁部１１、２１と下測縁部１２、２２とを一体化し、上側縁部１３、２３と右側縁部１４、２４とを開閉可能としたホルダーにおいて、右側縁部１４、２４の側縁を切り欠いて取出部３を設け、表装フィルム１の上側縁部１３に捲り部４と目印部６を設けると共に前記捲り部４と同位置の裏装フィルム２の上側縁部２３の側縁を切り欠いて切欠部５を設けた書類ホルダーとする。収納された書類は、取出部３に位置し露出する書類周縁部を指先で掴んで側方に引き出すことが可能である。また、指を捲り部４に当てて指先を切欠部５に入り込ませて持ち上げることにより、表装フィルム１のみを簡単に捲ることができる。【選択図】図１
0003128617.tif 000002
【実用新案登録請求の範囲】
【請求項１】
略同一矩形形状を有する表装フィルムと裏装フィルムとの隣接する２つの側縁部同士が一体化され、他の２つの隣接する側縁部同士が開閉可能となされた書類ホルダーにおいて、
開閉可能となされた側縁部に、表装フィルムと裏装フィルムの各側縁の同位置を切り取った取出部を設けたことを特徴とする書類ホルダー。
【請求項２】
略同一矩形形状を有する表装フィルムと裏装フィルムとの隣接する２つの側縁部同士が一体化され、他の２つの隣接する側縁部同士が開閉可能となされた書類ホルダーにおいて、
開閉可能となされた表装フィルムの側縁部の側縁を切り取った捲り部を設けると共に、該捲り部と同位置の裏装フィルムの側縁部の側縁に前記捲り部より横幅の広い切欠部を設けたことを特徴とする書類ホルダー。
【請求項３】
略同一矩形形状を有する表装フィルムと裏装フィルムとの隣接する２つの側縁部同士が一体化され、他の２つの隣接する側縁部同士が開閉可能となされた書類ホルダーにおいて、
開閉可能となされた一方の側縁部に表装フィルムと裏装フィルムの各側縁の同位置を切り取った取出部を設け、他方の側縁部の表装フィルムの側縁部の側縁を切り取った捲り部を設けると共に該捲り部と同位置の裏装フィルムの側縁部の側縁に前記捲り部より横幅の広い切欠部を設けたことを特徴とする書類ホルダー。
【考案の詳細な説明】
【技術分野】
【０００１】
本考案は、収納された書類を簡単に取り出すことができる書類ホルダーに関する。
【背景技術】
【０００２】
従来、ファイル本体が表裏別体である２つのフィルム片からなっていて、該表裏両フィルム片の一側縁部と下縁部とが所定幅にシールされ、さらに、そのフィルム片の上縁中央を切り欠いて切欠部となしたファイル（特許文献１）が知られている。
【特許文献１】特開２００３−０２５７７８号公報
【考案の開示】
【考案が解決しようとする課題】
【０００３】
上記の特許文献１に記載のファイルは、収納された書類を取り出す場合に、切欠部に指をかけて書類と裏フィルム片とを下側に押して表フィルム片を開き、その後、裏フィルム片と書類とを剥がして、書類を取出す必要があった。このような取出し方であると、書類を直ちに取り出すことが困難であるし、書類を裏フィルム片から剥がすのに手間を要する、という問題があった。
本考案は上記の問題に対処するためになされたもので、収納された書類を直ちに取り出すことができる書類ホルダーを提供することを目的としている。
【課題を解決するための手段】
【０００４】
上記の課題を解決するため、本考案の第一の書類ホルダーは、略同一矩形形状を有する表装フィルムと裏装フィルムとの隣接する２つの側縁部同士が一体化され、他の２つの隣接する側縁部同士が開閉可能となされた書類ホルダーにおいて、開閉可能となされた側縁部に、表装フィルムと裏装フィルムの各側縁の同位置を切り取った取出部を設けたことを特徴とするものである。
【０００５】
本考案の第二の書類ホルダーは、略同一矩形形状を有する表装フィルムと裏装フィルムとの隣接する２つの側縁部同士が一体化され、他の２つの隣接する側縁部同士が開閉可能となされた書類ホルダーにおいて、開閉可能となされた表装フィルムの側縁部の側縁を切り取った捲り部を設けると共に、該捲り部と同位置の裏装フィルムの側縁部の側縁に前記捲り部より横幅の広い切欠部を設けたことを特徴とするものである。
【０００６】
本考案の第三の書類ホルダーは、略同一矩形形状を有する表装フィルムと裏装フィルムとの隣接する２つの側縁部同士が一体化され、他の２つの隣接する側縁部同士が開閉可能となされた書類ホルダーにおいて、開閉可能となされた一方の側縁部に表装フィルムと裏装フィルムの各側縁の同位置を切り取った取出部を設け、他方の側縁部の表装フィルムの側縁部の側縁を切り取った捲り部を設けると共に該捲り部と同位置の裏装フィルムの側縁部の側縁に前記捲り部より横幅の広い切欠部を設けたことを特徴とするものである。
【考案の効果】
【０００７】
本考案の第一の書類ホルダーは、開閉可能となされた側縁部に表装フィルムと裏装フィルムの各側縁の同位置を切り取った取出部を設けたのだ、収納された書類を取り出すときには、該取出部に位置した書類の周端部を上下から指先で掴んで側方に引き出すことができ、書類を必要なときに簡単に取り出すことができる。
【０００８】
また、本考案の第二の書類ホルダーは、開閉可能となされた表装フィルムの側縁部の側縁を切り取った捲り部を設けると共に該捲り部と同位置の裏装フィルムの側縁部の側縁に前記捲り部より横幅の広い切欠部を設けたので、指を捲り部に当てても、指先が切欠部に入り込んで裏装フィルムに当たらないので、指を上方に持ち上げることにより表装フィルムのみを簡単に捲り上げることができる。
【０００９】
さらに、本考案の第三の書類ホルダーは、開閉可能となされた一方の側縁部に上記取出部を、他方の側縁部に上記捲り部と上記切欠部とを設けたので、取出部に位置する書類の周端部を持って簡単に側方に取出すことができるし、捲り部により表装フィルムのみを簡単に捲ることができる。
【考案を実施するための最良の形態】
【００１０】
以下、図面を参照して本考案の具体的な実施形態を詳述する。しかし、本考案はこれらに限定されるものではない。
【００１１】
図１は、本考案の一実施形態に係る書類ホルダーの平面図である。図２は、そのＸ―Ｘ矢視断面図であって、一部を拡大して示す図、図３は、そのＹ−Ｙ矢視断面図であって、一部を拡大して示す断面図、図４は、その書類ホルダーに書類を収納した状態を示す平面図である。
【００１２】
この実施形態の書類ホルダーは、略同一矩形形状を有する表装フィルム１と裏装フィルム２とが重ね合わされ、隣接する２つの側縁部である左側縁部１１、２１と下側縁部１２、２２とが一体化され、他の２つの隣接する側縁部である上側縁部１３、２３と右側縁部１４、２４とは単に重ねられているだけで開閉可能となされている。そして、前記開閉可能である両フィルム１、２の右側縁部１４、２４の同じ位置には、それぞれの側縁を略半円形状に切り取った取出部（切欠部）３、３がそれぞれ形成されている。そのため、この取出部３は各フィルム１、２に同一形状で上下方向に開口し、右方向の外側にも開口していて、取出部３はフィルムが存在しない空間となっている。一方、前記開閉可能となされた表装フィルム１の上側縁部１３には、その側縁を小さな半円形の形状に切り取った捲り部４が形成され、また、裏装フィルム２の上側縁部２３には、前記捲り部４と同じ位置に、捲り部４より左右横幅の大きい切欠部５が、その側縁を切り取ることにより形成されている。そして、前記捲り部４の半円弧状側縁部には、該側縁部を一定幅で着色した目印部６設けられている。
【００１３】
上記表装フィルム１と裏装フィルム２とは、熱可塑性樹脂フィルムや紙フィルムなどの柔軟性を有するフィルムが用いられ、その厚さは０．２〜０．５ｍｍとなされている。また、各フィルム１、２の大きさは、収納する書類のサイズに合わせられていて、例えばＡ４サイズの書類を収納する書類ホルダーであれば、２２×３１ｃｍとなされている。さらに、各フィルム１、２は不透明であっても良いが、透明や透視性を有すると収納された書類が外から透けて見えるので好ましく採用される。
【００１４】
前記熱可塑性合成樹脂としては、限定されるものではないが、例えばポリエチレン、ポリプロピレンなどのポリオレフィン樹脂、ポリエチレンテレフタレートなどのポリエステル樹脂が好ましく用いられる。これらの樹脂には、可塑剤、安定剤、抗酸化剤、顔料等の熱成形や外観を良好にするために必要な添加剤が適宜配合される。
【００１５】
上記書類ホルダーの一体化された隣接する２つの側縁部の１つである左側縁部１１、２１は、フィルムを折り畳んで連続させることにより一体化されているが、下側縁部１２、２２は溶着などにより一体化されている。このような一体化は、左右幅が２倍のフィルムを真中で折り畳んで重ね合わせると共に折り重なった下側縁部を超音波溶着や熱溶着などで溶着することにより簡単に作製することができる。この一体化された左側縁部１１、２１と下側縁部１２、２２とにより、収納された書類の脱落を防止するストッパー部を形成している。そして、上側縁部１３、２３及び右側縁部１４、２４とは、それぞれ単に折り畳んで重ねられているだけであり、上下に開放可能となされた書類入出部を形成していて、書類の収納と取出しができるようになされている。
なお、左側縁部１１、２１は、重ね合わさった部分を溶着することによって一体化してもよい。
【００１６】
表装フィルム１と裏装フィルム２の各右側縁部１４、２４の同じ位置に設けられた上記取出部３は、その各右側縁部中間より上側の側縁の同じ位置に、その側縁を略同じ半円形状に切り取ることにより、上下に同一形状で開口し、右方の外側にも開口した状態で形成されていて、該取出部３には上記両フィルム１、２が存在しない空間となっていて、指先を差し入れて右側方に移動させることが可能となされている。この取出部３の大きさは、人の指先が入る大きさ以上にすることが好ましく、例えば直径が２ｃｍ以上、好ましくは２〜４ｃｍ程度の半円形形状であることが望ましい。
なお、この取出部３の形状は、その他に半楕円形、三角形、四角形、長方形など、指先が入り、書類を掴むことができる形状であれば如何なる形状であってもよい。
【００１７】
また、裏装フィルム２の上側縁部２３に設けられた切欠部５は、その上側縁部２３の中央より右側の側縁を台形状に切り取り、上方の外側に開口した状態で形成されている。この切欠部５は、表装フィルム１のみを捲り上げる際に、この部分に指先が入り込んでも該指先が裏装フィルム２の側端に当たらないようにすることで、裏装フィルム２が表装フィルム1と一緒に持ち上がる のを防止するためのものである。そのため、内方まで深く切り取る必要はないが、横幅は指先が当たらない程度の広さが必要であり、表装フィルム１に形成されている捲り部４よも横幅を広くしてある。自体的には、その横幅は側縁部分で１０〜３０ｍｍ、好ましくは２０〜２５ｍｍ、深さは２〜１０ｍｍ、好ましくは４〜６ｍｍであることが望ましい。また、切欠部５の形状は、台形、正方形、長方形、半円形、半楕円形など種々の形状が用いられるが、特に台形形状が上記性能を発揮させるためには好ましい形状である。
【００１８】
また、表装フィルム１の上側縁部１３に設けられた捲り部４は、上記切欠部５の位置と同じ位置で且つ前記切欠部５の中央となる位置の表装フィルム１に設けられていて、その上側縁部１３の側縁を略半円形状に切り取り、上方の外側に開口した状態で形成されていている。この捲り部４は、これに指を当てて表装フィルム１を持ち上げて捲り易くするものである。その他に、前記切欠部５を表側から認識できる目印としての作用もする。そのために、その大きさは指の太さよりも小さく、前記切欠部５の横幅よりも狭くして、指が捲り部４に当たるようにしている。特に、該捲り部４と上側縁部１３との２つの角部に指を当てて滑りをなくすことが望ましく、そのために前記角部を先鋭状にすることが好ましい。捲り部４の大きさは、その直径は１０ｍｍ以内、好ましくは５ｍｍ程度の半円形形状とすることが好ましい。
なお、切欠部４の形状は半円形状に限られるものではなく、半楕円形状、長方形状、三角形状などの如何なる形状であってもよい。
【００１９】
また、上記目印部６は、上記捲り部４の周縁の半円弧状周縁部に、緑や赤や白などの人の目を引く色相に印刷などにより形成されたものである。この目印部６は、捲り部４に指を迷うことなく持って行く場合の目印となるものである。捲り部４が半円弧状に形成されているので、該捲り部４が目印ともなるが、周囲が薄暗かったり、切欠部５が書類により隠れていたり、表装フィルム１が不透明であったりした場合でも、この目印部６を目印にすればよいので確実に指を捲り部４に持って行くことができる。この目印部６の大きさ、即ち幅が1〜５ｍｍになされていると、 はっきりと視認することができるので好ましい。
この目印部６は、半円弧状周縁部の全部を着色する必要はなく、その一部を着色したものであってもよいし、点線状に着色したものであってもよいし、また、周縁部に限らず、捲り部４の周辺部に点や丸などの適宜の形で着色されていてもよい。さらに、目印部６は、捲り部４が目印になる場合は省略してもよい。
【００２０】
前記切欠部５が裏装フィルム２に、捲り部４と目印部６とが表装フィルム１に設けられていると、指を目印部６及び捲り部４を目印にして迷うことなく持って行くことができ、その後、捲り部４に指を当てて指先が裏側に回り込んでも、該指先は切欠部５に入り込んで裏装フィルム２の側縁に当たることがなくて、指を上方に上げることにより、裏装フィルム２を持ち上げることなく表装フィルム１のみを簡単に捲ることができる。
【００２１】
上記構成の書類ホルダーに、その開閉可能な入出部である上側縁部１３、２３又は右側縁部１４、２４を上下に開いて書類７を収納すると、図４に示すように、書類７の右側の周端部７１が取出部３に架かった状態で、その周端部７１が真中位の位置で収納されて上下に露出する。一方、書類７の上側の周端部は表装フィルム１の内方に位置する。
【００２２】
このように収納された書類７を取出す場合は、取出部３に位置し上下に露出している書類７の周端部７１を、開口した取出部３の上下から指先で掴んで右側方に引き出せば簡単に取り出すことができる。また、表装フィルム１を捲って１枚乃至複数枚を取出す場合は、指を目印部６及び捲り部４を目印にして持って行き、指を捲り部４に当てると指先が裏側に回り込んでも該指先が切欠部５に入り込んだ状態となり、指を捲り部４に引っ掛けて上方に持ち上げることにより、表装フィルム１のみを簡単に捲ることができ、その後、露出した書類７の中から必要な枚数を取出せばよい。この際、捲り部４と上側縁部１３との角部に指先が引っ掛かって、より確実に表装フィルム１を捲り上げることができる。
【００２３】
上記実施形態においては、取出部３と捲り部４及び切欠部５とが表装フィルム１及び／又は裏装フィルム２に設けられているが、図５に示すように、既述の取出部３のみを右側縁部１４、２４に設けた書類ホルダーであってもよいし、また、図６に示すように、既述の捲り部４及び切欠部５のみを上側縁部１３、２３に設けた書類ホルダーであってもよい。
【００２４】
図７は、本考案の他の実施形態を示す平面図である。
【００２５】
この実施形態の書類ホルダーは、表装フィルム１に捲り部を設けていない点、及び目印部６が丸形状である点を除いて、前記図１に示す書類ホルダーと同じであるので、同一符号を付して説明を省略する。
【００２６】
この書類ホルダーの目印部６は、裏装フィルム２の上側縁部２３に設けられた切欠部５の中央となる位置の表装フィルム１の表面に設けられている。この目印部６は、指を切欠部５に迷うことなく持ってくことができる目印となるものであるので、人目を引く緑や赤や白などの色相に印刷しても良い。その大きさは、人が視認できる大きさであればよく、直径が１〜５ｍｍ程度になされていれば良い。
なお、該目印部６の形状は如何なる形状であってもよく、図示の丸形状の他に、四角、三角、星などの人目を引く形状になされる。
【００２７】
この書類ホルダーにおいては、取出部３に位置する書類の周端部を掴んで側方に引き出せば、書類を簡単に取出すことができる。また、指を目印部６を目指して持っていき、目印部６のある表装フィルム１の上側縁部１３に指を当てると、裏側に回り込んだ指先が切欠部５に入り込んで裏装フィルム２の上側縁部２３に当たらず、そのまま指を上側縁部１３に引っ掛けて上げることにより、表装フィルム１のみを簡単に捲ることができる。
【００２８】
上記各実施形態において、取出部３が表装フィルム１及び裏装フィルム２の右側縁部１３、２３に設けられ、捲り部４、切欠部５及び目印部６が表装フィルム１及び裏装フィルム２の各上側縁部１３、２３に設けられているが、取出部３を上側縁部１３、２３に設け、捲り部４、切欠部５及び目印部６を右側縁部１４、２４に設けてもよい。
【図面の簡単な説明】
【００２９】
【図１】本考案の一実施形態に係る書類ホルダーの平面図である。
【図２】本考案の書類ホルダーの平面図である図１のＸ−Ｘ矢視断面図であって、一部を拡大して示す図である。
【図３】本考案の書類ホルダーの平面図である図１のＹ−Ｙ矢視断面図であって、一部を拡大して示す図である。
【図４】本考案の書類ホルダーに書類を収納した状態を示す平面図である。
【図５】本考案の他の実施形態に係る書類ホルダーの平面図である。
【図６】本考案のさらに他の実施形態に係る書類ホルダーの平面図である。
【図７】本考案の他の実施形態を示す平面図である。
【符号の説明】
【００３０】
１    表装フィルム
２    裏装フィルム
３    取出部
４    捲り部
５    切欠部
６    目印部
７    書類
【図１】
0003128617.tif 000003
【図２】
0003128617.tif 000004
【図３】
0003128617.tif 000005
【図４】
0003128617.tif 000006
【図５】
0003128617.tif 000007
【図６】
0003128617.tif 000008
【図７】
0003128617.tif 000009